(57)【要約】      （修正有）【課題】各々のページの結合端に沿って予め装丁された印刷可能なページのブロックのページに印刷する装置を提供する。【解決手段】ページが第１の積重ねの上から隣接した第２の積重ねまでめくられる場合に二つの隣接した積重ねが本質的に同一平面上の印刷可能な上面を示すように、二つの隣接した積重ねの印刷可能なページのブロックを支えるための二つの高さ調節可能なテーブルを含むブロック支持構造を含む。また、印刷可能な上面に印刷するように印刷可能な上面において印刷装置を移動するように構成される可動ブリッジと；第１の積重ねの装丁の上部ページを部分的に持ち上げるために構成されるローラと、部分的に持ち上げられた装丁の上部ページは印刷装置が印刷するため新しい印刷可能な上面を示す第２の積重ねまで弾くように部分的に持ち上げられた装丁の上部ページの下で摺動するページ弾きタブとを含むページめくり機構と；を含む。【選択図】図１
2010137544.tif 000002
【特許請求の範囲】
【請求項１】
各々のページの結合端に沿った装丁により予め装丁された印刷可能なページのブロックのページに印刷する装置であって：
ページが第１の積重ねの上から隣接した第２の積重ねまでめくられる場合に二つの隣接した積重ねが本質的に同一平面上の印刷可能な上面を示すように、該二つの隣接した積重ねの印刷可能なページのブロックを支えるための二つの高さ調節可能なテーブルを含むブロック支持構造と；
印刷装置を含む少なくとも一次元での動きに適し、該印刷可能な上面に印刷するように該印刷可能な上面において制御された方法で該印刷装置を移動するように構成される可動ブリッジと；
該第１の積重ねの装丁の上部ページを部分的に持ち上げるために構成されるローラと、該ブリッジが動いた場合、該部分的に持ち上げられた装丁の上部ページは、該印刷装置が印刷するため新しい印刷可能な上面を示す該第２の積重ねまで弾くように部分的に持ち上げられた装丁の上部ページの下で摺動するページ弾きタブとを含む該可動ブリッジに連結されるページめくり機構と；を含む装置。
【請求項２】
前記ページめくり機構が前記ローラを動かすための電気モータを含む、請求項１記載の装置。
【請求項３】
前記ローラが前記可動ブリッジの動作の方向に対して本質的に垂直である回転軸の周りで回転可能である、請求項１記載の装置。
【請求項４】
前記弾きタブが前記可動ブリッジの先端にある、請求項１記載の装置。
【請求項５】
前記ブロック支持構造が、コントローラと前記印刷可能な上面および前記高さのいずれかを検出するための少なくとも一つのセンサとを含む、請求項１記載の装置。
【請求項６】
前記少なくとも一つのセンサが前記可動ブリッジに連結する、請求項５記載の装置。
【請求項７】
前記少なくとも一つのセンサが前記印刷装置に連結する、請求項６記載の装置。
【請求項８】
前記少なくとも一つのセンサが少なくとも二つの検出装置を含み、該少なくとも二つの検出装置の一方が、前記印刷可能な上面のいずれかの前記高さが最大許容範囲内の値を上回るかどうか検出するように構成され、該少なくとも二つの検出装置のもう一方が、該印刷可能な上面のいずれかの該高さが最小許容範囲内の値を上回るかどうか検出するように構成される、請求項７記載の装置。
【請求項９】
ページの前記第１および第２の積重ねの間を分けるための分離機構を含む、請求項１記載の装置。
【請求項１０】
前記分離機構は、ワイヤと、ページの前記第１および第２の積重ねの間で該ワイヤを引くためのワイヤ牽引装置とを含み、それで、ページの該第１および第２の積重ねの間を分離する、請求項９記載の装置。
【請求項１１】
前記ワイヤ牽引装置が前記印刷装置に取り付けられ、それによって、該印刷装置が前記ワイヤを引く、請求項１０記載の装置。
【請求項１２】
前記ワイヤを上下させる装置を含む、請求項１０記載の装置。
【発明の詳細な説明】
【技術分野】
【０００１】
本発明は、印刷に関する。特に、本発明は予め装丁されたページでの冊子への印刷に関する。
【背景技術】
【０００２】
印刷および結合過程の速度および品質に対処する機械化において多くのものが改良されてきた一方で、冊子の印刷およびアセンブリの到達水準は、冊子の印刷およびアセンブリの基本的ステップにおいてほとんど変わっていない。
【０００３】
一般的に言って、過程は次の通りである。まず、ページが印刷される。次に、署名に照合または組立てられるようにページは切られる。それから、テキストブロックは縫製または接着のいずれかにより署名を結合することによって形成される。最後に、カバーが取り付けられる。したがって、テキストブロックを形成する過程は、冊子のページの数のみにおいて実行され、過程は生じられる各々の冊子のために繰り返される。
【０００４】
この過程は大量生産には十分に適しているが、少数の冊子の生産の余地をほとんど残さず、単一の冊子の生産には全く不適当である。
【０００５】
いくつかの特許は、銀行通帳のような予め装丁された冊子に印刷する装置に関する。そのすべては、冊子を平坦に保つ機構を使用する。米国特許第６，０３６，３８１号において（Ｍｉｚｕｋａｍｉその他）、冊子は開かれ、支持表面に置かれ、結合端に平行の供給方向において供給される。冊子の背部のための溝、および、冊子の二つの側部を押圧するローラは、表面を一般に平坦に保つ。米国特許第４，７７６，７１１号（Ｈａｒａｄａ）において、二つの印刷装置が、各々の開かれたページの異なる高さを補うために使用される。米国特許第４，０２９，１９３号（Ｋｗａｎ）において、小冊子カバーに対して配置されるプラテンの個々のバネで付勢された部分が、変化する高さを補う。
【０００６】
米国特許第５，２６７，７９９号（Ｎｕｋａｄａ）において、予め装丁された冊子は、選択されたページに開けられて挿入される。指定されたページは、ページめくり機構によって冊子の他のページに分から分けられ、プラテン・ローラ上へ導かれる。装置は、冊子の縫い目により指定されたページ上へ張力を適用する機構を含む。ページがこのようにプラテン・ローラに対して保たれて、データは指定されたページに印刷される。
【０００７】
米国特許出願公開番号第２００１／０２２９１１号Ａ１（Ｋｉｍｕｒａその他）は、通帳のページめくり装置を開示する。挿入されたページがいっぱいであることを検出すると、冊子のローラおよび運動の組み合わされた動作が冊子のページまたは複数のページをめくるために使用される。冊子のページの予め印を付けることによって、一ページのみがめくられたかどうかを装置が決定することができる。
【０００８】
上述した従来技術のすべてにおいて、プリントヘッドの運動は、最大一次元に限られている。したがって、装丁された冊子への印刷は、一つの場所から他の場所までの冊子の物理的な運搬を必要とする。装置が主に小さい銀行通帳に関するものであるので、冊子の動作は深刻な問題を示さない。しかしながら、これらの技術をより大きいサイズの冊子に適応させると、大量の空間を占める装置を必要とする。これによって、おそらく装置は、冊子を印刷する家庭用装置として不適当になる。
【０００９】
米国特許第６，７６２，３５６号（ＭｃＮａｂその他）は、冊子のページをめくる装置を記載する。選択されたページが自動的にめくられるように、透明なシートまたはディスクが手動で冊子のページへ予め挿入される。ページめくり装置は、関連した複写機または類似した装置と連携して使用される意図を有する。しかしながら、透明なシートは、印刷の目的のためにページが開かれるのを防ぐ。
【００１０】
米国特許第５，８０６，９９１号（Ｈｕｂｌｅｒ）は、装丁された冊子全体を印刷するための方法および装置を記載する。ページは吸引装置によって持ち上げられ、移動するプリントヘッドは持ち上げられたページの両側に印刷する。ページが印刷されるとページめくり動作はそれから完了され、ページめくり動作が完了した一方で、次のページが持ち上げられそれへの印刷が始まる。そのような装置では、プリントヘッドが複雑な動作で動く必要がある。このため、そのような装置の製造および維持が困難になる。装置は、垂直ページに印刷する場合、プリントヘッドおよびそれらの支持構造を収めるため、必然的に充分な垂直空間を占めなければならない。これらの制限によっても、そのような装置の家庭での使用を不適当にする。加えて、ページ上でのプリントヘッドおよびローラによる同時の動きにより、インクで汚れる可能性がある。
【００１１】
印刷されたページを印刷されていないページから分けることは上述した装置のいずれにおいても想定されていない。決まったサイズの予め装丁された冊子は装置に挿入され、最終的な印刷された冊子は同じページ数を有する。
【００１２】
日本国特許第５１６２４８５号Ａ１は、装丁された冊子のページに印刷し、めくる装置を開示する。この装置では、印刷装置が一方向へ移動するときに印刷され、印刷装置が他方に移動するときにページめくりが起こる。また、印刷およびページめくり動作を分けることにより、印刷過程は遅くなる。加えて、スキャンヘッドとプリントヘッドとの間の記載された互換性は、現在の標準の印刷技術では可能ではない。記載されるように摩擦ベルトでのページめくりは、新たな印刷ページをインクで汚す可能性がある。
【００１３】
国際特許公開ＷＯ  ２００６／１２３３３８  Ａ２（Ｈａｉｍ）は、印刷されていないページを開くように印刷ページを移動させるため、予め装丁された冊子の上面に印刷し、冊子の印刷されていないページから印刷されたページを分ける装置を記載する。冊子がガイドレールに対して確実に保たれなければならないので、装置は新しく開かれた印刷されていないページに印刷する前に、最初にガイドレールから冊子を開放し、ページをめくり、冊子上のガイドレールを別の場所に移す。この動作は印刷過程を減速させ、加えて、装置は過剰な量の空間を占める。
【００１４】
したがって、標準の大きさの予め装丁されたページ・ブロックにおける様々な大きさの冊子にオンデマンドで迅速に印刷し、印刷されていないページから印刷されたページを効果的かつ自動的に分けるためのコンパクトなシステムの必要がある。
【００１５】
家庭での使用に適している、予め装丁された冊子のページを迅速に印刷し、印刷されていないページから印刷されたページを自動分離するためのコンパクトな一体化システムを提供することは、本発明の目的である。
【発明の概要】
【００１６】
このように、本発明のいくつかの実施態様により、各々のページの結合端に沿った装丁により予め装丁された印刷可能なページのブロックのページに印刷する装置が提供される。装置は、ページが第１の積重ねの上から隣接した第２の積重ねまでめくられる場合に二つの隣接した積重ねが本質的に同一平面上の印刷可能な上面を示すように、二つの隣接した積重ねの印刷可能なページのブロックを支えるための二つの高さ調節可能なテーブルを含むブロック支持構造と；印刷装置を含む少なくとも一次元での動きに適し、印刷可能な上面に印刷するように印刷可能な上面において制御された方法で印刷装置を移動するように構成される可動ブリッジと；第１の積重ねの装丁の上部ページを部分的に持ち上げるために構成されるローラと、ブリッジが動いた場合、部分的に持ち上げられた装丁の上部ページは、印刷装置が印刷するため新しい印刷可能な上面を示す第２の積重ねまで弾くように部分的に持ち上げられた装丁の上部ページの下で摺動するページ弾きタブとを含む可動ブリッジに連結されるページめくり機構と；を含む。
【００１７】
さらに、本発明のいくつかの実施態様によれば、ページめくり機構はローラを動かすための電気モータを含む。
【００１８】
さらに、本発明のいくつかの実施態様によれば、ローラは、本質的に可動ブリッジの動作の方向に対して垂直である回転軸の周りで回転可能である。
【００１９】
さらに、本発明のいくつかの実施態様によれば、弾きタブは可動ブリッジの先端にある。
【００２０】
さらに、本発明のいくつかの実施態様によれば、ブロック支持構造は、コントローラと印刷可能な上面および高さのいずれかを検出するための少なくとも一つのセンサとを備える。
【００２１】
さらに、本発明のいくつかの実施態様によれば、少なくとも一つのセンサは、可動ブリッジに連結する。
【００２２】
さらに、本発明のいくつかの実施態様によれば、少なくとも一つのセンサは、印刷装置に連結する。
【００２３】
さらに、本発明のいくつかの実施態様によれば、少なくとも一つのセンサは少なくとも二つの検出装置を含み、そこで、その少なくとも二つの検出装置の一つは、印刷可能な上面のいずれかの高さが最大許容値を上回るかどうか検出するように構成され、その少なくとも二つの検出装置の一つは、印刷可能な上面のいずれかの高さが最小許容値を上回るかどうか検出するように構成される。
【００２４】
さらに、本発明のいくつかの実施態様によれば、装置はページの第１および第２の積重ねを分けるための分離機構を含む。
【００２５】
さらに、本発明のいくつかの実施態様によれば、分離機構は、ワイヤと、ページの第１および第２の積重ね間でワイヤを引くワイヤ牽引装置とを含み、それにより、ページの第１および第２の積重ねの間を分ける。
【００２６】
さらに、本発明のいくつかの実施態様によれば、ワイヤ牽引装置は、印刷装置に取り付けられ、それによって、 印刷装置の動きがワイヤを引く。
【００２７】
さらに、本発明のいくつかの実施態様によれば、装置はワイヤを上下させる装置を含む。
【図面の簡単な説明】
【００２８】
よりよく本発明を理解しかつその実際的な用途を認識するために、以下の図は提供され、以下に参照される。図が例示用のみとして与えられ、本発明の範囲を決して制限しない点に留意する必要がある。類似した構成要素は、類似した参照番号により示される。
【００２９】
【図１】図１は、本発明の実施態様による、印刷可能なページのブロックに印刷するためのプリンタ装置の等角図である。
【００３０】
【図２Ａ】図２Ａは、本発明の実施態様による、印刷ブリッジおよび印刷装置の等角図である。
【００３１】
【図２Ｂ】図２Ｂは図２Ａの印刷ブリッジおよび印刷装置の側面図であり、予め装丁されたページのブロックより上に配置されて示される。
【００３２】
【図３Ａ】図３Ａは、本発明の実施態様による、持ち上げられた状態のページ持ち上げアセンブリの側面図である。
【００３３】
【図３Ｂ】図３Ｂは、下げられている間の図３Ａのページ持ち上げアセンブリの側面図である。
【００３４】
【図３Ｃ】図３Ｃは、ページの積重ねに降ろされた図３Ａのページ持ち上げアセンブリの側面図である。
【００３５】
【図４】図４は、本発明の実施態様による、ページ持ち上げおよび弾きを例示する。
【００３６】
【図５】図５は、本発明の実施態様による、予め装丁されたブロックの積重ねの分離に備えて構成されたプリンタ装置の構成要素を示す。
【００３７】
【図６】図６は、本発明の実施態様による、拡張可能なワイヤ保持アーム、および、拡張機構の等角図を示す。
【００３８】
【図７】図７は、拡張状態の図６のワイヤ-保持アームの側面図を示す。
【００３９】
【図８】図８は、本発明の実施態様による、装丁連結の切断を例示した予め装丁されたブロックの装丁連結の断面図である。
【発明を実施するための形態】
【００４０】
本発明の実施態様によると、システムは、印刷されていないページの予め装丁されたブロックのページに直接印刷することによって冊子を生成し、印刷ページをブロックにおける印刷されていないページから分離すると説明されている。
【００４１】
前置きとして、本発明は、プリンタ装置およびそのような装置を用いて冊子を生成するための方法に関連する。プリンタ装置は、各々のページの装丁の端に沿った曲げられる装丁により予め装丁された印刷可能なページのブロックのページに印刷するように構成される。印刷可能なページは、本発明のプリンタ装置の実施態様を使用して印刷ができるページを含む。そのようなページが、すかし、背景、模様、挿絵、および、画像で前もって印刷できることは本発明の範囲内であるが、これらに限定されるものではない。ページが印刷前に一緒に装丁されるので、曲げられる装丁でつながれる二つの相互接続する積重ねにブロックを配置する必要がある。
【００４２】
電子構成要素およびプログラム学習を含む一以上の協働するコントローラは、プリンタ装置の構成要素と通信しかつ動作を制御する。そのような構成要素は、可動印刷ブリッジに載置する装置、高さ調節可能な積重ね支持テーブル、および、積重ねを互いに分ける際に使用される装置を含む。
【００４３】
可動印刷ブリッジに載置される可動印刷装置は、各々の積重ねの上面に印刷する。印刷ブリッジはまた、印刷ページをめくる手段を含む。ページめくりは、一つの積重ねの上部ページを持ち上げ、持ち上げられたページの下で印刷されていないページを開くことを含む。持ち上げられたページはそれから、その上に弾かれたページの印刷されていない側が開かれる他の積重ね上へひっくり返される。
【００４４】
印刷ブリッジはまた、印刷装置の下で積重ねの高さを確認するための一以上のセンサを含む。ページがめくられるたびに積重ねの各々の高さが変わるので、プリンタ装置は二つの高さ調節可能な積重ね支持テーブルを含む。各々のテーブルは、二つの積重ねのうちの一つを支える。高さ調節可能なテーブルは、高さ決定センサの出力に応答して作動する。
【００４５】
冊子の印刷が完了したときに、印刷ページの積重ねは曲げられる装丁によって印刷されていないページの積重ねに連結される。プリンタ装置は、分離手段を含む。本発明の実施態様において、分離手段は、強い、曲げられるワイヤを含む。可動印刷装置およびワイヤ上げ下げ装置の構成要素は、印刷されていないページの積重ねに印刷ページの積重ねを連結する曲げられる装丁全体でワイヤを引っ張るために協働する。ワイヤは装丁を切って、積重ねを互いに分ける。
【００４６】
本発明の冊子を生成するシステムの原理および動作は、図および添付の説明を参照することによってよりよく理解される。
【００４７】
図１は、本発明の実施態様による、印刷可能なページのブロックに印刷するためのプリンタ装置の等角図である。プリンタ装置３０の構成要素は、装置フレーム３１上に取り付けられる。印刷可能なページの予め装丁されたブロック２０は、プリンタ装置３０において配置されるように示される。ブロック２０の印刷可能なページは、曲げられる装丁によって装丁の端に沿って装丁される。印刷過程の間に、ブロック２０は、二つの積重ね２０Ａおよび２０Ｂに配置される。積重ね２０Ａおよび２０Ｂの装丁の端（図２Ｂの２２Ａおよび２２Ｂ）は、互いに向かいあう。積重ね２０Ａおよび２０Ｂは、装丁連結２８で曲げられる装丁によりつながれる。印刷は、積重ね２０Ａおよび２０Ｂの印刷可能な上面２６Ａおよび２６Ｂで実行される。印刷過程の間で、いくつかのページがすでに印刷され、多くは印刷されていないままである場合の時点が存在する可能性がある。そのような時点で、上面２６Ｂの下の積重ね２０Ｂのページは印刷されず、一方で上面２６Ａの下で積重ね２０Ａのページはすでに印刷されている。
【００４８】
積重ね２０Ａおよび２０Ｂはそれぞれ、高さ調節可能なテーブル３２Ａおよび３２Ｂで支えられる。高さ調節可能なテーブル３２Ａおよび３２Ｂの上下の動きは、コントローラ（図示せず）によって制御される。テーブル３２Ａおよび３２Ｂの上下の動きは、電気モータ、空気装置、油圧装置または従来技術において公知の本質的に他のいかなる適切な装置によって作動することができるが、これらに限定されるものではない。
【００４９】
本発明の実施態様による高さ調節可能なテーブル３２Ａまたは３２Ｂを上下させるための機構をここで説明する。テーブル３２Ａを上げ下げするためのそのような機構は、図１において部分的に示される。示されていない類似した機構は、テーブル３２Ｂを上下するために提供される。テーブル３２Ａの高さは、はさみ機構９２によって上下する。一対のはさみ機構９２の脚部の下端は、枢軸結合１００で固定される。はさみ機構９２の他の二つの脚部の下端は、バー９４に取り付けられる。バー９４の各々の端は、溝９６の中で水平に摺動することができる。ネジ機構８８の一端は、バー９４のネジ穴に通される。ネジ機構８８の他端は、固定される。
【００５０】
コントローラによって指示される場合、モーター（図示せず）はネジ機構８８を回す。ネジ機構８８が一方向へ回転する場合、ネジ機構８８の端はバー９４により深く通され、バー９４を枢軸結合１００の方へ引っ張る。その効果は、枢軸結合１００にバー９４を近づけ、はさみ機構９２を閉じ、テーブル３２Ａを上げることである。逆方向へのネジ機構８８の調整により、バー９４からネジ機構８８の端が引っ込められる。バー９４は枢軸１００から押しのけられ、はさみ機構９２を開き、テーブル３２Ａを下げる。
【００５１】
各々のばね９８の一端は、バー９４に連結する。ばね９８の他端は、枢軸結合１００近くの位置に連結する。ばね９８は、予め装着されることによってテーブル３２Ａを上下させるのを援助する。予め装着することは、ネジ機構８８を回すモータへの荷重を減らす。
【００５２】
印刷ブリッジ４２は、二つのスライド軸４４に載置される。（一つのスライド軸は図１に示され；図２Ａでは両方示される）減摩リング６０は、印刷ブリッジ４２がスライド軸４４に沿って前後にすべることを可能にする。コントローラからの指示に応答して、パワーユニット５６はメイン・ベルト３４を動かす。メイン・ベルト３４の動作は、トルク軸３６を回転させる。トルク軸３６の回転は、一以上のタイミングベルト５８を動かす。タイミングベルト５８は、印刷ブリッジ４２に取り付けられる。被駆動タイミングベルト５８は、スライド軸４４に沿って制御された距離印刷ブリッジ４２を摺動させる。印刷ブリッジ４２の制御動作を遂行するための当業者に公知のいかなる他の手段も本発明の範囲内であると理解されるべきである。
【００５３】
図２Ａは、本発明の実施態様による印刷ブリッジおよび印刷装置の等角図である。図２Ｂは、予め装丁されたページのブロック上に配置されるように示される、図２Ａの印刷ブリッジの側面図および印刷装置である。印刷装置４０は、印刷ブリッジ４２のガイド軸５４に載置される。印刷装置４０は、適用された力に応答してガイド軸５４に沿って次のように前後に移動する：コントローラからの指示に応答して、モーター（図示せず）は、ベルト５２を動かす。ベルト５２は、印刷装置４０に取り付けられる。ベルト５２の動作により、ガイド軸５４に沿って制御された距離印刷装置４０を動かす。本発明の実施態様において、軸５４に沿った印刷装置４０の動作は、スライド軸４４に沿ったブリッジ４２の動作に対して垂直である。スライド軸４４に沿った印刷ブリッジ４２、および、ガイド軸５４に沿った印刷装置４０の組み合わせられた制御動作により、印刷可能な上面２６Ａおよび２６Ｂ上での印刷装置４０の制御された位置決めを可能にする。印刷装置４０のプリントヘッド４１はこのように、印刷可能な上面２６Ａおよび２６Ｂ上の制御された場所で印刷することができる。印刷装置４０の制御動作を遂行するための当業者に公知のいかなる他の手段も本発明の範囲内であると理解されるべきである。
【００５４】
本発明の実施態様による典型的な印刷動作の間、印刷ブリッジ４２がスライド軸４４に沿った位置で静止したままである一方、印刷装置４０はガイド軸５４に沿って移動する。印刷装置４０のこの動作の間、プリントヘッド４１は、印刷可能な表面の一片の境界内で印刷することができる。一片の寸法は、プリントヘッド４１がガイド軸５４に沿って進行する静止プリントヘッドと距離とでおおわれる印刷領域の寸法で測定される。一片の長い寸法は、ガイド軸５４に対して平行に向きを定められる。ガイド軸５４に沿った印刷装置４０の動作が完了した場合、印刷ブリッジ４２はスライド軸４４に沿って隣接した位置へ移動する。印刷装置４０はそれから軸５４に沿って移動し、第１の狭い一片と隣接している印刷可能な表面の一片の範囲内で印刷する。
【００５５】
図２Ｂの矢印は、本発明の実施態様による、典型的な印刷動作の間の印刷ブリッジ４２の典型的動作の方向を示す。典型的な印刷動作の間、プリントヘッド４１が印刷ブリッジ４２の後縁部にあるように、印刷装置４０は印刷ブリッジ４２に載置される。ページ持ち上げアセンブリ５０（図１および図４に示す）は、印刷ブリッジ４２の一端で、印刷ブリッジ４２の先端に載置される。コントローラからの指示に応答して、ページ持ち上げアセンブリ５０は、ローラ６６を上下させる。ローラ６６が降ろされるときに、ページ持ち上げアセンブリ５０はローラ６６を回転させる。ローラ６６の機能は、ページを持ち上げることである。持ち上げられたページは、さらにページ弾きタブ６２により上げられる。本発明の範囲は、ローラ、静電要素、真空要素、または、可動ブリッジに装着可能であり、少なくとも部分的にページを持ち上げることができる技術で公知の他のいかなる要素で構成されるページ持ち上げ要素の使用を含むがこれらに限定されるものではないことに留意する必要がある。
【００５６】
ページ弾きタブ６２は、印刷ブリッジ４２の先端に載置される。ページ弾きタブ６２は、持ち上げられたページの端の下に挿入される。ページ弾きタブ６２はプリントヘッド４１より進んで持ち上げられたページを上げ、これにより、プリントヘッド４１は上げられたページの下の印刷されていない表面に印刷することができる。センサレバー７４は、ページ弾きタブ６２に置かれる。ページ弾きタブ６２が持ち上げられたページの下に挿入される場合、持ち上げられたページはセンサレバー７４に対して押圧する。センサレバー７４に対して押圧することにより、コントローラに信号を送るセンサが作動される。例えば、圧力レバー７４は、圧力レバー７４が押圧される場合に回転するタブ７５に連結することができる。タブ７５の回転は、光線を遮断することができる。光電センサは、光線の遮断を感知して、コントローラに信号を送る。
【００５７】
図３Ａ、図３Ｂ、および、図３Ｃは、本発明の実施態様によるページ持ち上げアセンブリの動作を例示する。ここでまた、図１に示される構成要素を参照する。ページ持ち上げアセンブリ５０を作動する前に、印刷ブリッジ４２は、装丁連結２８の末端である上面２６Ｂの端の近くに配置される。ページ持ち上げアセンブリ５０は印刷ブリッジ４２の一端に取り付けられる。一般に、ページ持ち上げアセンブリ５０がページを持ち上げるために作動しない場合、ページ持ち上げアセンブリ５０のローラ６６は高い位置に置かれる。図３Ａは、本発明の実施態様による、高い状態のページ持ち上げアセンブリの側面図である。ローラ６６がページを持ち上げるために、ローラ６６はページ上へ降ろされなければならない。図３Ｂは、図３Ａのページ持ち上げアセンブリ５が下げられている側面図である。ローラ持ち上げ機構６３のモータ５１（図４で見ることができる）により、伝達アーム６７が力をローラアセンブリ６９に力を作用し、ローラ６６を降ろす。図３Ｃは、ページの積重ね上へ降ろされた図３Ａのページ持ち上げアセンブリの側面図である。ローラ６６は、積重ね２０Ｂの上部ページ７８に降ろされている。
【００５８】
図４は、本発明の実施態様によりページ持ち上げおよび弾きを例示する。ローラ６６は、積重ね２０Ｂの上部ページ７８の角の上へ降ろされる。ローラアセンブリ６９のモータ６５は、作動し始める。ローラアセンブリ６９の伝達機構（図示せず）により、モータ６５の動作が矢印８２によって示された方向にローラ６６を回転させる。ローラ６６は、ローラ６６が載置されるページ７８の角で矢印８２の方向に摩擦力を作用させる。加えて、装丁連結２８は、上部ページ７８の近端部が摺動するのを防ぐように上部ページ７８上に力を出す。作用された力の組合せの結果、上部ページ７８が曲げられる。上部ページ７８が曲げられた結果、上部ページ７８の角８０が持ち上げられる。角８０は、ローラ６６および装丁連結２８の末端である上部ページ７８の角である。上部ページ７８の角８０を持ち上げることにより、積重ね２０Ｂの印刷されていない印刷可能な上側表面２６Ｂが部分的に開かれる。
【００５９】
上部ページ７８の角８０が持ち上げられ、印刷ブリッジ４２は矢印８４によって示される方向に移動する。印刷ブリッジ４２の動作は、上部ページ７８の持ち上げられた角８０の下で印刷ブリッジ４２の先端に載置される弾きタブ６２を矢印８４の方向に挿入する。印刷ブリッジ４２は、矢印８４の方向に移動し続ける。弾きタブ６２が上部ページ７８と接触する場合、上部ページ７８はセンサレバー７４を押圧する。センサレバー７４を押圧する上部ページ７８により、信号がコントローラに送られる。センサレバー７４を押圧する上部ページ７８による信号は、弾きタブ６２の十分な部分が上部ページ７８の角８０の下に挿入されたことを示す。弾きタブ６２が角８０の下に十分に挿入された場合、弾きタブ６２は、新しく開かれた印刷されていない印刷可能な上面２６Ｂ上に上部ページ７８を保つことができる。
【００６０】
センサレバー７４の押圧により、ページ持ち上げアセンブリ５０に上部ページ７８からローラ６６を上げさせる信号が生成される。ローラ６６を上げることで、ページ７８が自由になる。矢印８４の方向の印刷ブリッジ４２の連続的な動作により、弾きタブ６２は上部ページ７８を上げ続ける。最終的には、矢印８４の方向の印刷ブリッジ４２の動作は、印刷ブリッジ４２の後ろ側にあるプリントヘッド４１を開かれた印刷可能な上面２６Ｂより上の位置に運ぶ。プリントヘッド４０は、印刷可能な上面２６Ｂに印刷し始めることができる。
【００６１】
図２Ａおよび図２Ｂを参照すると、印刷ブリッジ４２の先端の近くで、ページ高さセンサ６８は、印刷ブリッジ４２の下面に置かれる。本発明の実施態様において、ページ高さセンサ６８は、二つの別々の本質的に同一の機械的な要素を含む。各々の機械的な要素は、その端に載置される車輪を有するレバーの形である。車輪によって、レバーがページ表面を妨げることなくページ表面上を滑ることができる。レバーは、その下の表面との接触によって上方へ押される。レバーが上方へ押される距離は、その下の表面の付近次第である。代替的に、センサは、一以上の機械的な、電磁、光学的または音響センサ、または、ページを妨げることなくページ表面の付近を検出することができる他のいかなるタイプのセンサを含むことができる。
【００６２】
本発明の実施態様において、各々のページ高さセンサ６８の各々の機械的な要素は、レバーを含む。レバーが予め定められた距離により上方へ押されるときに、そのページ高さセンサは作動し、コントローラに信号を送る。各々の二つのページ高さセンサを作動させるための予め定められた距離は、互いに異なる。予め定められた距離は、下の表面までの距離が予め定められた許容範囲内である場合、ページ高さセンサ６８の一つが起動し、もう一つが起動しないように選ばれる。両方のセンサの起動は、下の表面までの距離が許容範囲よりも小さいことを示す。許容範囲より小さい距離は、下の表面が高すぎ、表面が降ろされなければならないことを示す。どちらのセンサもの起動は、下の表面までの距離が許容範囲より大きいことを示さない。許容範囲より大きい距離は、下の表面が低すぎ、表面が上げられなければならないことを示す。
【００６３】
本発明の実施態様において、用紙平滑化フィン７０は、印刷ブリッジ４２（図２Ｂおよび図５で見ることができる）の下側に載置することができる。用紙平滑化フィン７０は、印刷ブリッジ４２が通過するページの表面に載置される。用紙平滑化フィン７０は、わずかな圧力を印刷ブリッジ４２の下にあるページ表面に作用させる。ページ表面と接触する用紙平滑化フィン７０の端は、滑らかな要素を付けることができる。滑らかな要素は、横にページを引くことなく、用紙平滑化フィン７０がページ表面上を滑り、下方への圧力の作用を可能にする。印刷ブリッジ４２が印刷動作の間ページ表面上を移動する場合、用紙平滑化フィン７０は、短い距離分プリントヘッド４１に先行する。用紙平滑化フィン７０の機能は、プリントヘッド４１によって印刷される印刷可能な表面を平らに準備するのを援助することである。
【００６４】
図５は、本発明の実施態様による、予め装丁された積重ねのブロックを分けることに備えて構成されるプリンタ装置の構成要素を示す。印刷ブリッジ４２は、装丁連結２８の末端である上面２６Ａの端の近くで配置され、上面２６Ｂおよび２６Ａへの印刷を完了した。印刷装置４０の後ろの端は、装丁連結２８に面する。分離は、切断要素によって遂行される。本発明の実施態様において、切断要素は、強い、曲げられるワイヤ１１４である。本発明の範囲内で、切断手段は、曲げられるスレッド、ストリングまたはワイヤ；ナイフ、刃または他の刃；例えば電気抵抗電線、集中的放射またはレーザのような熱的手段；化学的手段；または曲げられる装丁を切るために用いることができるいかなる他の手段を含むが、これらに限定されるものではない。
【００６５】
ワイヤ１１４は、拡張可能なアーム１１０にプリンタ装置３０の一番下の近くの下部の接続ポイント（図示せず）から伸びる。拡張可能なアーム１１０は、アーム拡張装置１１２によって上下することができる。一般に、および、特に印刷動作の間、拡張可能なアーム１１０は、アーム拡張装置１１２内部で折り畳まれたその降ろされた状態においてある。拡張可能なアーム１１０が折り畳まれた場合、ワイヤ１１４はプリンタ装置３０の下部の近くに配置される。ワイヤ１１４がプリンタ装置３０の下部の近くにある場合、ワイヤ１１４は、プリンタ装置３０の他の構成要素の動作と干渉しない。特に、ワイヤ１１４は、印刷ブリッジ４２の動作、印刷装置４０の動作、または、高さ調節可能なテーブル３２Ａおよび３２Ｂの動作を妨げない。
【００６６】
本発明の実施態様によれば、図６は拡張可能なワイヤ保持アーム、および、拡張機構の等角図を示す。積重ねの分離の前に、アーム拡張装置１１２は、次のように拡張可能なアーム１１０を高くした位置まで拡張する：モータ１２２は、時計回り方向に車輪１１５を回転させる。車輪１１５の時計回りの回転は、伝達アーム１０９で下方および左に引かれる。伝達アーム１０９は、結合１１３で拡張可能なアーム１１０の一端において下方へ引かれる。結合１１３で下方へ引くことにより、軸１１１の周りでの拡張可能なアーム１１０の時計回りの回転が拡張される。拡張可能なアーム１１０の時計回りの回転は、拡張可能なアーム１１０を拡張状態まで上げる。
【００６７】
図７は、拡張状態の図６のワイヤ保持アームの側面図を示す。アーム１１０の延長により、ワイヤ１１４はプリンタ装置３０の下部の近くの下部連結点（図示せず）からアーム１１０の最上部の近くの連結点まで延長する。アーム１１０の最上部の近くの連結点の高さは、装丁連結２８の高さより高い。ワイヤ１１４の一部は、アーム１１０（示されない接触点）に最も近い装丁連結２８の端と接触する。ワイヤ１１４の大部分の残りは、装丁連結２８（図示せず）の下に直接位置する。
【００６８】
アーム１１０が延長される場合、アーム１１０のくぼみ１１８は印刷装置４０上のピン１１６で整列配置する。くぼみ１１８は、ピン１１６を収容するような形状およびサイズである。したがって、印刷装置４０および印刷ブリッジ４２の制御された動きは、ピン１１６をくぼみ１１８に挿入することができる。ピン１１６がくぼみ１１８に挿入される場合、左の方へのピン１１６の動き（図７に示される）により、ピン１１６がワイヤ１１４を引き、ワイヤ１１４を上方へおよび左に持ち上げる。装丁連結２８（図示せず）とのワイヤ１１４の接触は、ピン１１６の動作によってワイヤ１１４の上方および左への持ち上げに抵抗する。装丁連結２８に対するワイヤ１１４の上方および左への持ち上げにより、ワイヤ１１４が装丁連結２８を切断する。
【００６９】
図８は、本発明の実施態様による装丁連結の切断を例示する予め装丁されたブロックの装丁連結による断面図である。印刷装置４０およびピン１１６は、矢印の方向に移動する。ワイヤ１１４は、接触点１２０で装丁分離２８と接触する。矢印の方向のピン１１６の動作により、ワイヤ１１４が接触点１２０で装丁分離２８に力を作用させる。接触点１２０で装丁連結２８にワイヤ１１４によって作用される力は、接触点１２０で装丁連結２８を切断する。矢印の方向のピン１１６の連続的な動作により、接触点１２０が装丁連結２８の全長に沿って矢印の方向に移動する。図８において例示される位置で、接触点１２０の右への装丁連結２８は切断され、一方で接触点１２０の左への装丁連結２８は完全なままである。このように、矢印の方向のピン１１６の動作により、ワイヤ１１４はその全長に沿って装丁連結２８を切断する。矢印の方向の印刷装置４０の連続的な動作は、アーム１１０から最も遠くの印刷ブリッジ４２の端の近くの位置に印刷装置４０を持ってくる。この時点で、印刷ブリッジ４２は切断された装丁連結２８から離れた方向において移動されることができる。ピン１１６がワイヤ１１４をもはや持ち上げないように、印刷ブリッジ４２のこの動作はピン１１６を取り除く。ピン１１６がワイヤ１１４から取り除かれる場合、拡張装置１１２はその引っ込んだ状態まで拡張可能なアーム１１０を降ろす。拡張可能なアーム１１０の再格納により、ワイヤ１１４の全長はプリンタ装置の下部の近くに配置される。
【００７０】
その全長に沿った装丁連結２８の切断により、ブロック２０を埋め合わせる二つの積重ねを装丁のページの二つの別々のブロックに分ける。二つの別々のブロックのうちの一つは完全に印刷されたページから構成され、一方で他のブロックは完全に印刷されていないページから構成される。印刷ページのブロックは、それからプリンタ装置から除去されることができる。
【００７１】
プリンタ装置３０の実施態様による冊子の印刷は、ここで図１に関して説明される。プリンタ装置３０の動作の間に実行される動作は、一以上のコントローラ（図示せず）によってプリンタ装置３０のさまざまな構成要素に送られる指示に応答して実行される。
【００７２】
印刷可能なページの２０ブロックは、プリンタ装置３０において配置されるように示される。ブロック２０は、曲げられる装丁２２（図２Ｂに示される）により予め装丁される。最初に、プリンタ装置３０が冊子を印刷し始める場合、ブロック２０のすべてのページは単一の積重ね２０Ｂにおいて配列される。印刷動作の間のしばらく後の時点で、ブロック２０は、二つの積重ね２０Ａおよび２０Ｂに配置される。それぞれ、積重ね２０Ａおよび２０Ｂは、高さ調節可能なテーブル３２Ａおよび３２Ｂ上に載置される。印刷は、積重ね２０Ａおよび２０Ｂの印刷可能な上面２６Ａおよび２６Ｂにおいて実行される。表面２６Ａおよび２６Ｂが本質的に同一平面上であるように、テーブル３２Ａおよび３２Ｂの高さは調整される。上面２６Ａおよび２６Ｂは、装丁連結２８で接続される。
【００７３】
最初に、プリンタ装置３０が冊子を印刷し始める場合、印刷は、一つの積重ね２０Ｂのみの印刷可能な上面２６Ｂに実行されることができる。あるいは、後述するページめくり動作は、印刷可能な上面２６Ａおよび２６Ｂを有して直ちに二つの積重ね２０Ａおよび２０Ｂを生成して、第１のシートですでに実行されることができる。ページめくりを有する印刷動作の開始により、第１のページが空白になる。そのようなページは、例えば、それが端の紙として役立つような場合、故意に空白のままであってもよい。
【００７４】
印刷動作の間の後の時点で、いくつかのページは印刷され、多くは印刷されていないままである。そのような時点で、上面２６Ｂの下の積重ね２０Ｂのページは印刷されていない一方で、上面２６Ａの下の積重ね２０Ａのページはすでに印刷されている。
【００７５】
印刷の間、印刷ブリッジ４２および印刷装置４０は、印刷可能な上面２６Ａおよび２６Ｂのさまざまな位置より上に、プリントヘッド４１を配置させるために順番に移動する。プリントヘッド４１（図２Ｂに示される）は、上にそれが配置される表面２６Ａおよび２６Ｂのさまざまな位置に印刷することができる。
【００７６】
印刷動作の間、印刷ブリッジ４２の動作の一般の方向は、図２Ｂの矢印によって示される方向にある。示された動作の結果は、プリントヘッド４１が印刷可能な上面２６Ａに印刷する前に印刷可能な上面２６Ｂに印刷するということである。したがって、上面２６Ｂに印刷し始める場合、印刷ブリッジ４２は装丁連結２８の末端である上面２６Ｂの端の近くの初期の位置に位置する。印刷の間、ブリッジ４２の動作の方向は上面２６Ａの遠い端の方へ向かい、その端は装丁連結２８の末端である。上面２６Ａへの印刷が完了した場合、印刷ブリッジ４２は、表面２６Ａの末端の近くに位置する。その初期位置に印刷ブリッジを戻す前に、テーブル３２Ａおよび３２Ｂは、短い予め定められた距離によって、両方とも降ろされる。印刷ブリッジ４２は、それから上面２６Ｂの末端近くのその初期の位置に戻される。その初期位置へ印刷ブリッジ４２を戻す動作の前にテーブル３２Ａおよび３２Ｂを降ろす目的は、印刷ブリッジ４２の戻り動作が上面２６Ａおよび２６Ｂを妨げるのを防ぐことである。印刷ブリッジ４２がその初期位置に戻された後、テーブル３２Ａおよび３２Ｂは、その距離がすでに下げられた予め定められた距離によって上げられる。テーブル３２Ａおよび３２Ｂは、このようにそれらの前の高さに戻される。この時点で、印刷ブリッジ４２および印刷装置４０は、印刷可能な上面の他の対に印刷する位置にある。
【００７７】
上面２６Ｂおよび２６Ａへの印刷を再開する前に、新規な印刷されていない表面が開かれなければならない。新規な印刷されていない表面は、ページ持ち上げアセンブリ５０によって積重ね２０Ｂの上部ページを持ち上げることにより開かれる。積重ね２０Ｂの上部ページの持ち上げにより、印刷されていない印刷可能な上面２６Ｂが開かれる。持ち上げられたページはそれから積重ね２０Ａの上部に弾きタブ６２によって弾かれ、弾かれたページの印刷されていない側を開く。弾かれた印刷されていない側は、積重ね２０Ａの印刷可能な上面２６Ａを形成する。
【００７８】
印刷ブリッジ４２の連続的な動作により、弾きタブ６２は上部ページ７８を上げ続ける。同時に、印刷装置４０（図１に示される）は印刷ブリッジ４２に沿って前後に移動し、そして、プリントヘッド４１（図１に示される）は印刷可能な上面２６Ｂに印刷することができる。弾きタブ６２は、最終的にはページ７８が装丁連結２８に連結されるその端の周りで弾かれるのに十分な量によりページ７８を上げ、積重ね２０Ａ上に弾かれる。積重ね２０Ａ上にページ７８を弾くことにより、ページ７８の印刷されていない側を開く。積重ね２０Ａ上に載置されているページ７８の印刷されていない側は、積重ね２０Ａの新しい印刷可能な上面２６Ａを形成する。
【００７９】
印刷ブリッジ４２の連続的な動作は、プリントヘッド４１が印刷可能な領域すべての印刷可能な上面２６Ｂの印刷を可能にする。印刷ブリッジ４２の連続的な動作は、プリントヘッド４１に装丁連結２８を交差させ、新しく開かれた印刷可能な上面２６Ａに印刷させる。このように、予め装丁された積重ねの上面全体を擦るブリッジ４２の単一の動作により、新規な印刷されていない表面が開かれ、印刷されていない表面への印刷が可能になる。
【００８０】
プリントヘッド４１と印刷可能な上面２６Ｂまたは２６Ａとの間の距離が許容範囲内より大きいまたは小さい場合、印刷の品質は悪影響を受ける可能性がある。残りのプリンタ装置３０と関連するプリントヘッド４１の高さは、固定される。したがって、プリントヘッド４１と印刷可能な上面２６Ｂまたは２６Ａとの間の距離は、印刷可能な上面２６Ｂまたは２６Ａの高さで決定される。印刷可能な上面２６Ａまたは２６Ｂとプリントヘッド４１との間の距離は、印刷ブリッジ４２の下側のページ高さセンサ６８で決定される。
【００８１】
積重ね２０Ｂから積重ね２０Ａへの上部ページの移動により、積重ね２０Ｂの上面２６Ｂの高さを下げ、積重ね２０Ａの上面２６Ａの高さを増やす。各々の上面の高さの変化は、１ページの厚さに等しい。本発明の実施態様により、プリントヘッド４１と印刷可能な上面２６Ｂまたは２６Ａの間の許容範囲内の距離は、１ページの厚みより大きくてもよい。この場合、積重ね２０Ｂから積重ね２０Ａまで１ページを移動させた後、上面２６Ｂおよび２６Ａの高さは、表面の高さの許容範囲内のままであってもよい。上面２６Ｂおよび２６Ａの高さが表面の高さの許容範囲内のままである場合、印刷は、上面２６Ｂおよび２６Ａの高さの調整なしで進行することができる。しかしながら、積重ね２０Ａへの積重ね２０Ｂからのページの移動の後に、ページ高さセンサ６８はプリントヘッド４１と印刷可能な上面２６Ｂまたは２６Ａとの間の距離が許容範囲より大きいまたは小さいと示すことが起こる可能性がある。この場合、高さ調節可能なテーブル３２Ｂおよび３２Ａは、印刷可能な上面２６Ｂおよび２６Ａの高さを許容範囲内にするため、それぞれ積重ね２０Ｂおよび２０Ａの高さを調整する。
【００８２】
本発明の実施態様において、ページ高さセンサ６８によって出力される信号は、印刷可能な上面２６Ｂおよび２６Ａにわたるブリッジ４２の動作の間、二つの位置でコントローラによって読まれる。装丁連結２８の末端である上面２６Ｂの端の近くにブリッジ４２が位置する場合、印刷可能な上面２６Ｂへの印刷の開始の前に第１の位置は起こる。この時点で、ページ高さセンサ６８は、プリントヘッド４１と積重ね２０Ｂの印刷可能な上面２６Ｂとの間の距離を示すために読まれる。この時点で、ページ高さセンサ６８はプリントヘッド４１と印刷可能な上面２６Ｂの間の距離が許容範囲内より大きいことを示すべきであり、高さ調節可能なテーブル３２Ｂは予め定められた距離により積重ね２０Ｂを上げる。予め定められた距離は、印刷可能な上面２６Ｂの高さの許容範囲内で上面２６Ｂの高さを上げるように決定される。並行して、テーブル３２Ａは、同じ予め定められた距離により積重ね２０Ａを下げる。上面２６Ａの方への一般方向における印刷ブリッジ４２の動作は、それから続く。印刷ブリッジ４２の動作の進路の間、印刷装置４０は印刷ブリッジ４２に沿って前後に移動する。印刷ブリッジ４２に沿った印刷装置４０の動作は、印刷ブリッジ４２の動作の方向に対して垂直である。印刷ブリッジ４２と印刷装置４０との組み合わせられた動作により、印刷可能な上面２６Ｂのいかなる位置においてもプリントヘッド４１を配置することができる。したがって、プリントヘッド４１は必要に応じて印刷可能な上面２６Ｂに印刷することができる。
【００８３】
本発明の実施態様によると、ページ高さセンサ６８は、印刷可能な上面２６Ｂおよび２６Ａ上での印刷ブリッジ４２の動作の間第２の位置で読まれる。印刷ブリッジ４２の先端が装丁連結２８を交差させる場合にこの第２の位置は起こり、ページ高さセンサは２６Ａ上面と接触する。この時点で、ページ高さセンサ６８は、プリントヘッド４１と積重ね２０Ａの印刷可能な上面２６Ａとの間の距離を示すために読まれる。ページは、積重ね２０Ｂから積重ね２０Ａまで移動することができ、上面２６Ａの高さを増加させる。この時点で、ページ高さセンサ６８はプリントヘッド４１と印刷可能な上面２６Ａとの間の距離が許容範囲のより小さいことを示すべきであり、高さ調節可能なテーブル３２Ａは、予め定められた距離により積重ね２０Ａを下げる。予め定められた距離は、上面２５Ａの高さを印刷可能な上面２６Ａの高さの許容範囲に下げるように決定される。並行して、テーブル３２Ｂは同じ予め定められた距離により積重ね２０Ｂを上げる。印刷可能な上面２６Ａ上の印刷ブリッジ４２と印刷装置４０との動きは、それから続く。印刷ブリッジ４２と印刷装置４０との動作の進行の間、プリントヘッド４１は、印刷可能な上面２６Ａに印刷することができる。
【００８４】
印刷されていない上面を開き、必要に応じて積重ねの高さを調整するための、一方の積重ねからもう一方へ上部ページを移動させるページの予め装丁された積重ねの印刷可能な上面に印刷する過程は、冊子の内容のすべてが印刷されるまで続く。
【００８５】
図５を参照する。本発明の実施態様によると、印刷が完了した場合、積重ね２０Ａは印刷された装丁ページから完全に構成され、積重ね２０Ｂは印刷されない装丁のページから完全に構成される。印刷ブリッジ４２は、装丁連結２８の末端である上面２６Ａの端の近くで、上面２６Ａより上に配置される。アーム拡張装置１１２は、アーム１１０をその上げられた状態まで拡張する。上げられた場合、拡張可能なアーム１１０は、装丁連結２８の高さより上の高さでワイヤ１１４の端を保持する。残りのワイヤ１１４は、装丁連結２８の下に位置する。
【００８６】
印刷装置４０は、ピン１１６が拡張可能なアーム１１０上のくぼみ１１８と整列配置するように印刷ブリッジ４２に沿って配置される。くぼみ１１８と整列配置されるピン１１６で、印刷ブリッジ４２は拡張可能なアーム１１０の方へピン１１６を移動する。ピン１１６がくぼみ１１８に挿入されるまで、拡張可能なアーム１１０の方への印刷ブリッジ４２の動作は続く。
【００８７】
くぼみ１１８で挿入されるピン１１６で、印刷装置４０は印刷ブリッジ４２に沿って移動し、拡張可能なアーム１１０から離れてピン１１６を運搬する。アーム１１０から離れたピン１１６の運搬により、ピン１１６は上方へワイヤ１１４を引き、装丁連結２８に逆らって引く。アーム１１０から離れるピン１１６、および、ワイヤ１１４を引く連続的な動作により、ワイヤ１１４が装丁連結２８を切断する。アーム１１０の末端である印刷ブリッジ４２の端の方への印刷装置４０の連続的な動作は完全に、装丁連結２８を切断する。装丁連結２８の切断により、印刷されていないページの積重ね２０Ｂから印刷ページの積重ね２０Ｂを分ける。積重ね２０Ａの積重ね２０Ｂからの分離の後、ピン１１６がワイヤ１１４から離れるまで、ブリッジ４２はワイヤ１１４から離れて移動する。拡張装置１１２は、その折り畳まれた状態に拡張可能なアーム１１０を格納する。拡張可能なアーム１１０の格納により、ワイヤ１１４の全長がプリンタ装置３０の下部の近くに配置される。プリンタ装置３０の下部の近くでのワイヤ１１４の配置により、プリンタ装置３０のさらなる動作の間、ワイヤ１１４が移動している構成要素の動作と干渉するのを防止する。
【００８８】
印刷された積重ね２０Ａが印刷されていない積重ね２０Ｂから分けられた後、印刷された積重ね２０Ａはプリンタ装置３０から取り除かれることができる。
【００８９】
本明細書において記載された実施態様および添付の図の説明は、その範囲を制限せずに、本発明のより良好な理解の用途のためにおいてのみ役立つことは明らかである。
【００９０】
本明細書を読み込んだ後、当業者は、本発明によってなお包含される添付の図および上記に記載された実施態様に対し修正または補正することができることもまた明らかである。
【図１】
2010137544.tif 000003
【図２Ａ】
2010137544.tif 000004
【図２Ｂ】
2010137544.tif 000005
【図３Ａ】
2010137544.tif 000006
【図３Ｂ】
2010137544.tif 000007
【図３Ｃ】
2010137544.tif 000008
【図４】
2010137544.tif 000009
【図５】
2010137544.tif 000010
【図６】
2010137544.tif 000011
【図７】
2010137544.tif 000012
【図８】
2010137544.tif 000013